(57)【要約】【課題】電源供給器が発光モジュール上に交換ができるように結合されることにより、電源供給器が損傷した際、ＬＥＤ灯管をまるごと廃棄する必要がなく、コストを大幅に効率よく低下させる電源供給器の交換ができるＬＥＤ灯管を提供する。【解決手段】管体１０、発光モジュール２０、電源供給器３０、および２つの電源アダプタ４０を含む。発光モジュール２０は、管体１０内部に設けられ、回路板２１および複数のＬＥＤランプ２２を有する。複数のＬＥＤランプ２２が回路板２１の下に満遍なく配列配置され、回路板２１に電気的に接続されている。電源供給器３０は、発光モジュール２０上に交換ができるように接続され、回路板２１に電気的に接続されている。２つの電源アダプタ４０は、管体１０の両方の端部にそれぞれ嵌挿され、電源供給器３０に電気的に接続されている。【選択図】図２
0003145179.tif 000002
【実用新案登録請求の範囲】
【請求項１】
管体と、
前記管体内部に設けられ、回路板および複数のＬＥＤランプを有し、前記複数のＬＥＤランプが前記回路板の下に満遍なく配列配置され、前記回路板に電気的に接続されている発光モジュールと、
前記発光モジュール上に交換が可能なように接続され、前記回路板に電気的に接続されている電源供給器と、
前記管体の両方の端部にそれぞれ嵌挿され、前記電源供給器に電気的に接続されている２つの電源アダプタと、を備えることを特徴とする電源供給器の交換ができるＬＥＤ灯管。
【請求項２】
前記管体は、複数の放熱孔が設けられていることを特徴とする請求項１に記載の電源供給器の交換ができるＬＥＤ灯管。
【請求項３】
前記管体は、両方の端部に成型された支承部がそれぞれ設けられ、前記支承部は前記２つの電源アダプタに嵌挿固定されることを特徴とする請求項１に記載の電源供給器の交換ができるＬＥＤ灯管。
【請求項４】
前記支承部は、２つのスリットを有し、前記２つのスリットの間に嵌合部が形成され、前記２つの電源アダプタは前記嵌合部に対応する嵌溝を設けている環体を有し、前記嵌溝は、前記嵌合部上に嵌挿固定されることを特徴とする請求項１に記載の電源供給器の交換ができるＬＥＤ灯管。
【請求項５】
前記発光モジュールは、前記管体内に交換が可能なように収納されていることを特徴とする請求項１に記載の電源供給器の交換ができるＬＥＤ灯管。
【請求項６】
前記複数のＬＥＤランプは、間隔を空けて配列配置されていることを特徴とする請求項１に記載の電源供給器の交換ができるＬＥＤ灯管。
【請求項７】
前記発光モジュールは、前記電源供給器の有する２つの電源供給差込に嵌挿され、前記回路板に電気的に接続されている第1の差し込み口をさらに含むことを特徴とする請求項１に記載の電源供給器の交換ができるＬＥＤ灯管。
【請求項８】
前記２つの電源アダプタにそれぞれ電気的に接続され、前記電源供給器が有する２つの第２の差し込み口にそれぞれ挿設されている２つの電源受取差込をさらに含むことを特徴とする請求項１に記載の電源供給器の交換ができるＬＥＤ灯管。
【請求項９】
前記２つの電源アダプタは、着脱可能な方法により、前記管体の両方の端部にそれぞれ嵌挿されていることを特徴とする請求項１に記載の電源供給器の交換ができるＬＥＤ灯管。
【請求項１０】
内周壁が係止溝、および前記係止溝に繋がる内螺紋を形成し、前記管体の両方の端部に外螺紋がそれぞれ成型され、前記電源アダプタの外周縁に前記係止溝内に固定される前記嵌環が成型され、前記内螺紋が前記外螺紋に螺合される螺体をさらに含むことを特徴とする請求項１に記載の電源供給器の交換ができるＬＥＤ灯管。
【考案の詳細な説明】
【技術分野】
【０００１】
本考案は、ＬＥＤ灯管に関し、特に、電源供給器の交換ができるＬＥＤ灯管に関する。
【背景技術】
【０００２】
テクノロジーの絶え間ない進歩にともない、電子製品および電子デバイスは、軽薄短小の傾向をさらに強めている。電子デバイスであるＬＥＤは、小型化、節電、長寿命、環境保護などの長所を有するため、次第に照明器具に用いられるようになった。ＬＥＤは、その初期において、輝度不足という問題を有したが、近年における材料および技術上の進歩により、ＬＥＤの発光効率は、大幅に改善され、従来の照明器具の輝度に匹敵するようになり、次第に従来の照明器具に代りつつあるのである。
【０００３】
以下、従来のＬＥＤ灯管を図面に基づいて説明する。図１は、従来技術によるＬＥＤ灯管を示す斜視図である。図１に示すように、従来のＬＥＤ灯管は、管体１０ａ、発光モジュール２０ａ、電源供給器３０ａ、および２つの電源アダプタ４０ａを含んでいた。発光モジュール２０ａは、管体１０ａ内に収納され、回路板２１ａおよび複数のＬＥＤランプ２２ａを有する。複数のＬＥＤランプ２２ａは、回路板２１ａの下部に満遍なく配列配置され、回路板２１ａに電気的に接続されていた。電源供給器３０ａは、管体１０ａ内に収納され、回路板２１ａ上に配置されていた。また、半田付けにより回路板２１ａに電気的に接続されていた。２つの電源アダプタ４０ａは、密封方式により管体１０ａの両方の端部にそれぞれ結合されていた。また、２つの電源アダプタ４０ａは、半田付けにより電源供給器３０ａに電気的に接続されていた。
【０００４】
従来のＬＥＤ灯管は、以下のような欠点を有していた。電源供給器３０ａは、寿命が約２万時間で、ＬＥＤランプ２２ａは、寿命が約５万時間であったため、ＬＥＤランプ２２ａを長期間使用すると、電源供給器３０ａのほうがＬＥＤランプ２２ａより先に破損してしまうことが多かった。また、電源供給器３０ａは、半田付けにより発光モジュール２０ａの回路板２１ａ上に電気的に接続されていた。そのうえ、２つの電源アダプタ４０ａは、密封方式により管体１０ａの両方の端部にそれぞれ結合されていたため、電源供給器３０ａが破損した場合、電源供給器３０ａの交換または修理を行なうことができなかった。そのため、ＬＥＤ灯管をまるごと廃棄しなければならず、コストの浪費になっていた。以上の欠点を改善するため、本考案は、電源供給器の交換ができるＬＥＤ灯管を提供する。
【特許文献１】特開２００３−５９３３２号公報
【考案の開示】
【考案が解決しようとする課題】
【０００５】
本考案の第１の目的は、電源供給器が発光モジュール上に交換ができるように結合されることにより、電源供給器が損傷した際、ＬＥＤ灯管をまるごと廃棄する必要がなく、コストを大幅に効率よく低下させる電源供給器の交換ができるＬＥＤ灯管を提供することにある。
本考案の第２の目的は、発光モジュールが管体内に交換ができるように収納されることにより、発光モジュールが損傷した際、ＬＥＤ灯管をまるごと廃棄する必要がなく、コストを効率よく低下させる電源供給器の交換ができるＬＥＤ灯管を提供することにある。
【課題を解決するための手段】
【０００６】
上述の目的を達成するため、本考案は、電源供給器の交換ができるＬＥＤ灯管を提供する。本考案の電源供給器の交換ができるＬＥＤ灯管は、管体、発光モジュール、電源供給器、および２つの電源アダプタを含む。発光モジュールは、管体内部に設けられ、回路板および複数のＬＥＤランプを有する。複数のＬＥＤランプが回路板の下に満遍なく配列配置され、回路板に電気的に接続されている。電源供給器は、発光モジュール上に交換ができるように接続され、回路板に電気的に接続されている。２つの電源アダプタは、管体の両方の端部にそれぞれ嵌挿され、電源供給器に電気的に接続されている。
すなわち、本考案は下記の特徴を有する。
（１）管体と、
前記管体内部に設けられ、回路板および複数のＬＥＤランプを有し、前記複数のＬＥＤランプが前記回路板の下に満遍なく配列配置され、前記回路板に電気的に接続されている発光モジュールと、
前記発光モジュール上に交換が可能なように接続され、前記回路板に電気的に接続されている電源供給器と、
前記管体の両方の端部にそれぞれ嵌挿され、前記電源供給器に電気的に接続されている２つの電源アダプタと、を備えることを特徴とする電源供給器の交換ができるＬＥＤ灯管。
（２）前記管体は、複数の放熱孔が設けられていることを特徴とする（１）に記載の電源供給器の交換ができるＬＥＤ灯管。
（３）前記管体は、両方の端部に成型された支承部がそれぞれ設けられ、前記支承部は前記２つの電源アダプタに嵌挿固定されることを特徴とする（１）に記載の電源供給器の交換ができるＬＥＤ灯管。
（４）前記支承部は、２つのスリットを有し、前記２つのスリットの間に嵌合部が形成され、前記２つの電源アダプタは前記嵌合部に対応する嵌溝を設けている環体を有し、前記嵌溝は、前記嵌合部上に嵌挿固定されることを特徴とする（１）に記載の電源供給器の交換ができるＬＥＤ灯管。
（５）前記発光モジュールは、前記管体内に交換が可能なように収納されていることを特徴とする（１）に記載の電源供給器の交換ができるＬＥＤ灯管。
（６）前記複数のＬＥＤランプは、間隔を空けて配列配置されていることを特徴とする（１）に記載の電源供給器の交換ができるＬＥＤ灯管。
（７）前記発光モジュールは、前記電源供給器の有する２つの電源供給差込に嵌挿され、前記回路板に電気的に接続されている第1の差し込み口をさらに含むことを特徴とする（１）に記載の電源供給器の交換ができるＬＥＤ灯管。
（８）前記２つの電源アダプタにそれぞれ電気的に接続され、前記電源供給器が有する２つの第２の差し込み口にそれぞれ挿設されている２つの電源受取差込をさらに含むことを特徴とする（１）に記載の電源供給器の交換ができるＬＥＤ灯管。
（９）前記２つの電源アダプタは、着脱可能な方法により、前記管体の両方の端部にそれぞれ嵌挿されていることを特徴とする（１）に記載の電源供給器の交換ができるＬＥＤ灯管。
（１０）内周壁が係止溝、および前記係止溝に繋がる内螺紋を形成し、前記管体の両方の端部に外螺紋がそれぞれ成型され、前記電源アダプタの外周縁に前記係止溝内に固定される前記嵌環が成型され、前記内螺紋が前記外螺紋に螺合される螺体をさらに含むことを特徴とする（１）に記載の電源供給器の交換ができるＬＥＤ灯管。
【考案の効果】
【０００７】
本考案の電源供給器の交換ができるＬＥＤ灯管管は、電源供給器が発光モジュール上に交換ができるように結合されることにより、電源供給器が損傷した際、電源供給器の交換または修理が行なわれるため、ＬＥＤ灯管をまるごと廃棄する必要がなく、コストを大幅に効率よく低下させることができる。また、発光モジュールが管体内に交換ができるように収納されることにより、発光モジュールが損傷した際、発光モジュールの交換または修理が行なわれるため、ＬＥＤ灯管をまるごと廃棄する必要がなく、コストを効率よく低下させることができる。
【考案を実施するための最良の形態】
【０００８】
以下、本考案の実施形態を図面に基づいて説明する。図２は、本考案の一実施形態による電源供給器の交換ができるＬＥＤ灯管を示す分解斜視図である。図３は、本考案の一実施形態による電源供給器の交換ができるＬＥＤ灯管を示す斜視図である。図４は、図３の断面図である。図２〜図４に示すように、本考案の一実施形態による電源供給器の交換ができるＬＥＤ灯管は、管体１０、発光モジュール２０、電源供給器３０、および２つの電源アダプタ４０を含む。
【０００９】
管体１０は、透光性が好適であるアクリルまたはＰＶＣ材料からなり、薄くて透明である。管体１０には、間隔を空けて配列される複数の放熱孔１１が設けられている。また、管体１０には、両方の端部に成型された支承部１２がそれぞれ設けられている。支承部１２には、２つのスリット１２１が設けられ、２つのスリット１２１の間に嵌合部１２２が設けられている。
【００１０】
発光モジュール２０は、管体１０内に交換ができるように収納され、回路板２１、複数のＬＥＤランプ２２および第1の差し込み口２３を有する。複数のＬＥＤランプ２２は、回路板２１の下に間隔を空けて満遍なく配列配置され、回路板２１に電気的に接続されている。第1の差し込み口２３は、回路板２１の上に配置され、回路板２１に電気的に接続されている。ＬＥＤランプ２２は、寿命が約５万時間で、白色ＬＥＤ２２、黄色ＬＥＤ２２、赤色ＬＥＤ２２または青色ＬＥＤ２２でもよく、これらに限定されるものではない。
【００１１】
電源供給器３０は、発光モジュール２０上に交換ができるように接続され、回路板２１上に配置されている。電源供給器３０は、２つの第２の差し込み口３２および電源供給差込３１を有する。電源供給差込３１は、発光モジュール２０の第1の差し込み口２３上に挿設され、回路板２１に電気的に接続されている。電源供給器３０は、寿命が約２万時間で、ＬＥＤランプ２２の寿命より短い。
【００１２】
２つの電源アダプタ４０は、着脱可能な方法により、管体１０の両方の端部の支承部１２にそれぞれ嵌挿され、電源供給器３０に電気的に接続されている。２つの電源アダプタ４０は、支承部１２の嵌合部１２２に対応する嵌溝４１を設けている環体４４を有する。嵌溝４１は、嵌合部１２２上に嵌挿固定される。本考案の電源供給器の交換ができるＬＥＤ灯管は、２つの電源受取差込４２をさらに含む。２つの電源受取差込４２は、２つの電源アダプタ４０にそれぞれ電気的に接続されている。また、２つの電源受取差込４２は、電源供給器３０の２つの第２の差し込み口３２に挿設されている。
【００１３】
図２に示すように、本考案の電源供給器の交換ができるＬＥＤ灯管が組み立てられる場合、まず、電源供給器３０が発光モジュール２０の回路板２１上に配置されると同時に、電源供給器３０の電源供給差込３１が２１上の第1の差し込み口２３内に嵌挿される。次に、発光モジュール２０および電源供給器３０がともに管体１０内に収納され、２つの電源アダプタ４０の電源受取差込４２が電源供給器３０の２つの第２の差し込み口３２にそれぞれ嵌挿される。最後に、２つの電源アダプタ４０が管体１０の両方の端部にそれぞれ嵌挿される。
【００１４】
図３に示すように、本考案の電源供給器の交換ができるＬＥＤ灯管が分解される場合、まず、管体１０から２つの電源アダプタ４０が取り外され、２つの電源アダプタ４０に電気的に接続されている電源受取差込４２が２つの第２の差し込み口３２から抜脱される。次に、発光モジュール２０および電源供給器３０が管体１０内から取り出される。最後に、電源供給器３０の電源供給差込３１が回路板２１上の第1の差し込み口２３から抜脱される。
【００１５】
以上のように、電源供給器３０、または発光モジュール２０のＬＥＤランプ２２が損傷した場合、上記の組立または分解の方法により、電源供給器３０または発光モジュール２０の交換または修理を行ない、ＬＥＤ灯管をまるごと廃棄する必要がなく、コストを大幅に効率よく低下させることができる。
【００１６】
図５は、本考案の一実施形態による電源供給器の交換ができるＬＥＤ灯管の使用状態を示す側面図である。図４および図５に示すように、本考案の電源供給器の交換ができるＬＥＤ灯管は、天井５０の灯座６０内に固着されている。灯座６０は、ランプシェード６１、およびランプシェード６１内に配置されて電源に電気的に接続する電源接続座６２を含む。２つの電源アダプタ４０が電源接続座６２内にそれぞれ嵌挿されると、複数のＬＥＤランプ２２が光線を発生して照射する。
【００１７】
図６は、本考案のもう一つの実施形態による電源供給器の交換ができるＬＥＤ灯管を示す分解断面図である。図７は、本考案のもう一つの実施形態による電源供給器の交換ができるＬＥＤ灯管を示す断面図である。図６および図７に示すように、実施形態が前記の実施形態と異なるのは、螺体７０をさらに含むことである。螺体７０は、内周壁に係止溝７１、および係止溝７１に繋がる内螺紋７２を形成している。また、管体１０の両方の端部に外螺紋１３がそれぞれ成型されている。電源アダプタ４０の環体４４の外周縁には、係止溝７１内に固定される嵌環４３が成型されている。内螺紋７２は、外螺紋１３に螺合されることにより、電源アダプタ４０が管体１０上に装着される。
【００１８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１９】
【図１】従来技術によるＬＥＤ灯管を示す斜視図である。
【図２】本考案の一実施形態による電源供給器の交換ができるＬＥＤ灯管を示す分解斜視図である。
【図３】本考案の一実施形態による電源供給器の交換ができるＬＥＤ灯管を示す斜視図である。
【図４】図３の断面図である。
【図５】本考案の一実施形態による電源供給器の交換ができるＬＥＤ灯管の使用状態を示す側面図である。
【図６】本考案のもう一つの実施形態による電源供給器の交換ができるＬＥＤ灯管を示す分解断面図である。
【図７】本考案のもう一つの実施形態による電源供給器の交換ができるＬＥＤ灯管を示す断面図である。
【符号の説明】
【００２０】
１０  管体
１１  放熱孔
１２  支承部
１３  外螺紋
２０  発光モジュール
２１  回路板
２２  ＬＥＤランプ
２３  第1の差し込み口
３０  電源供給器
３１  電源供給差込
３２  第２の差し込み口
４０  電源アダプタ
４１  嵌溝
４２  電源受取差込
４３  嵌環
４４  環体
５０  天井
６０  灯座
６１  ランプシェード
６２  電源接続座
７０  螺体
７１  係止溝
７２  内螺紋
１２１  スリット
１２２  嵌合部
【図１】
0003145179.tif 000003
【図２】
0003145179.tif 000004
【図３】
0003145179.tif 000005
【図４】
0003145179.tif 000006
【図５】
0003145179.tif 000007
【図６】
0003145179.tif 000008
【図７】
0003145179.tif 000009